(57)【要約】【課題】  ドキュメント画像を書き換え可能に表示保持する電子ペーパーＥＰを用いて、ドキュメント画像の表示態様をユーザ毎に変更することにより、紙媒体によるドキュメントの閲覧と同等な環境においてユーザ権限に基づく個々のドキュメント管理を合理的に行う。【解決手段】  電子ペーパーＥＰが入力手段８（１０）から入力されたユーザ特定情報をＩＤ提供手段５ａでサーバ６０に送信すると、サーバ６２では管理テーブル６３に基づいて当該ユーザに対して設定されている表示態様情報を制御情報提供手段６１ｂから返送する。電子ペーパーＥＰでは、表示態様情報に基づいてマスク駆動手段４５がマスク層４１を部分的に透過状態とし、下層の表示部２に表示保持されているドキュメント画像の一部を透過部分から透視できるようにして、当該ユーザの権限に応じたドキュメント画像部分を表示する。【選択図】  図６
2006030559.tif 000002
【特許請求の範囲】
【請求項１】
ドキュメント画像を書き換え可能に表示保持する表示部を有する表示記録媒体において、
ユーザを特定するための特定情報を受け付ける入力手段と、
前記受け付けた特定情報に基づいてユーザ毎に予め設定された態様で前記表示部に表示保持されるドキュメント画像を表示する表示制御手段と、を備えたことを特徴とする表示記録媒体。
【請求項２】
ドキュメント画像を書き換え可能に表示保持する表示部を有する表示記録媒体において、
ユーザを特定するための特定情報を受け付ける入力手段と、
表示部の表面側に重ねて設けられて透過状態と不透過状態とに切換え駆動されるマスク手段と、
前記受け付けた特定情報に基づいてユーザ毎に予め設定された態様で前記マスク手段を駆動して表示部に表示保持されるドキュメント画像を表示するマスク駆動手段と、を備えたことを特徴とする表示記録媒体。
【請求項３】
請求項１に記載の表示記録媒体において、
前記マスク駆動手段は、前記マスク手段の部分を透過状態と不透過状態とに切換え駆動することを特徴とする表示記録媒体。
【請求項４】
部分ドキュメント画像を書き換え可能に表示保持する複数のレイヤ層を透過的に重ねた構成で当該部分ドキュメント画像からなるドキュメント画像を表示保持する表示部を有する表示記録媒体において、
ドキュメント画像を構成する部分ドキュメントのデータを保持する記憶手段と、
前記記憶手段に保持された部分ドキュメントデータに基づいて前記レイヤ層に部分ドキュメント画像を書き込む書き込み手段と、
ユーザを特定するための特定情報を受け付ける入力手段と、
前記受け付けた特定情報に基づいてユーザ毎に予め設定された態様で前記書き込み手段を駆動して部分ドキュメント画像が書き込まれる前記レイヤ層を選択する書き込み制御手段と、を備えたことを特徴とする表示記録媒体。
【請求項５】
ドキュメント画像を書き換え可能に表示保持する表示部を有する表示記録媒体と、前記表示部に表示保持されるドキュメント画像をユーザに関連して管理するサーバとを備えた表示制御システムであって、
前記サーバは、
ユーザ毎に予め設定された表示態様を特定するための表示制御情報を保持するユーザ管理手段と、
前記表示記録媒体から取得するユーザを特定するための情報に基づいて前記ユーザ管理手段が保持する対応する表示制御情報を当該表示記録媒体へ提供する制御情報提供手段と、を有し、
前記表示記録媒体は、
ユーザを特定するための特定情報を受け付ける入力手段と、
前記受け付けた特定情報を前記サーバへ提供する特定情報提供手段と、
前記サーバから提供された前記表示制御情報を取得する制御情報取得手段と、
前記表示部の表面側に重ねて設けられて透過状態と不透過状態とに切換え駆動されるマスク手段と、
前記取得した表示制御情報に基づいて前記マスク手段を駆動して表示部に表示保持されるドキュメント画像を表示するマスク駆動手段と、を備えたことを特徴とする表示制御システム。
【請求項６】
部分ドキュメント画像を書き換え可能に表示保持する複数のレイヤ層を透過的に重ねた構成で当該部分ドキュメント画像からなるドキュメント画像を表示保持する表示部を有する表示記録媒体と、前記表示部に表示保持されるドキュメント画像をユーザに関連して管理するサーバとを備えた表示制御システムであって、
前記サーバは、
ユーザ毎に予め設定された表示態様を特定するための表示制御情報を保持するユーザ管理手段と、
前記表示記録媒体から取得するユーザを特定するための情報に基づいて前記ユーザ管理手段が保持する対応する表示制御情報を当該表示記録媒体へ提供する制御情報提供手段と、を有し、
前記表示記録媒体は、
ユーザを特定するための特定情報を受け付ける入力手段と、
前記受け付けた特定情報を前記サーバへ提供する特定情報提供手段と、
前記サーバから提供された前記表示制御情報を取得する制御情報取得手段と、
ドキュメント画像を構成する部分ドキュメントのデータを保持する記憶手段と、
前記記憶手段に保持された部分ドキュメントデータに基づいて前記レイヤ層に部分ドキュメント画像を書き込む書き込み手段と、
前記取得した表示制御情報に基づいて前記書き込み手段を駆動して部分ドキュメント画像が書き込まれる前記レイヤ層を選択する書き込み制御手段と、を備えたことを特徴とする表示制御システム。
【請求項７】
ドキュメント画像を書き換え可能に表示保持する表示部を有する表示記録媒体と、前記表示部にドキュメント画像を表示保持させるためのドキュメントデータを前記表示記録媒体に提供するサーバとを備えた表示制御システムであって、
前記サーバは、
ユーザ毎に予め設定されたドキュメントデータを保持するデータ管理手段と、
前記表示記録媒体から取得するユーザを特定するための情報に基づいて前記データ管理手段が保持する対応するドキュメントデータを当該表示記録媒体へ提供するドキュメントデータ提供手段と、を有し、
前記表示記録媒体は、
ユーザを特定するための特定情報を受け付ける入力手段と、
前記受け付けた特定情報を前記サーバへ提供する特定情報提供手段と、
前記サーバから提供された前記ドキュメントデータを取得するドキュメントデータ取得手段と、
前記取得したドキュメントデータに基づくドキュメント画像の前記表示部での表示態様を前記受け付けた特定情報に基づいてユーザ毎に予め設定された態様とする表示制御手段と、を有することを特徴とする表示制御システム。
【請求項８】
表示記録媒体に、ドキュメント画像を書き換え可能に表示保持する表示部と、ユーザの接触を検出する入力部と、前記表示部での表示態様を制御する表示制御手段とを設け、
前記入力手段がユーザを特定するための特定情報を受け付け、
前記表示制御手段が特定情報に基づいてユーザ毎に予め設定された態様で前記表示部にドキュメント画像を表示することを特徴とする表示制御方法。
【請求項９】
表示記録媒体に、ドキュメント画像を書き換え可能に表示保持する表示部と、ユーザの接触を検出する入力部と、前記表示部での表示態様を制御する表示制御手段とを設け、
サーバに、ユーザ毎に予め設定された表示態様を特定するための表示制御情報を保持するユーザ管理手段を設け、
前記表示記録媒体が、前記入力手段からユーザを特定するための特定情報を受け付けると当該特定情報を前記サーバへ提供し、
前記サーバが、前記表示記録媒体から取得するユーザを特定するための情報に基づいて前記ユーザ管理手段が保持する対応する表示制御情報を当該表示記録媒体へ提供し、
前記表示記録媒体が、前記表示制御手段により、前記サーバから提供された前記表示制御情報に基づいて前記表示部でのドキュメント画像の表示態様を制御することを特徴とする表示制御方法。
【請求項１０】
請求項９に記載の表示制御方法において、
前記サーバに、ユーザ毎に予め設定されたドキュメントデータを保持するデータ管理手段を設け、
前記サーバが、前記表示記録媒体から取得する特定情報に基づいて前記データ管理手段が保持する対応するドキュメントデータを当該表示記録媒体へ提供し、
前記表示記録媒体が、表示制御手段により、前記サーバから提供された前記ドキュメントデータに基づくドキュメント画像の前記表示部での表示態様を前記特定情報に基づいてユーザ毎に予め設定された態様とすることを特徴とする表示制御方法。
【発明の詳細な説明】
【技術分野】
【０００１】
本発明は、ドキュメント画像を書き換え可能に表示保持する表示記録媒体を用いて、その表示部におけるドキュメント画像の表示形態をユーザ毎に予め設定した態様で行う技術に関する。
【背景技術】
【０００２】
コンピュータを用いたデータ処理により、テキストデータ、図形データ、画像データ等といった様々なメディアデータによりドキュメントが作成されており、このような電子データ形式で作成されたドキュメントは、その画像をコンピュータディスプレイに表示したり或いは紙媒体である用紙に印刷して閲覧に供されている。
ここで、ドキュメントデータについて、近年では、用紙にとって代わることが可能なドキュメント画像の表示記録媒体として、用紙の如く柔軟な薄型で画像情報を表示部に無電源状態で表示保持することができる電子ペーパーが開発されている。
【０００３】
このような電子ペーパーによると、表示部が表示保持する画像情報を書き換えて繰り返し使用することを可能ならしめ、また、種々なデータをメモリに保持したり外部と送受信することも可能ならしめる他、例えば、ドキュメント画像を表示保持した電子ペーパーを、机の上に複数並べて閲覧したり、手に持って閲覧したり、複数のユーザ間で回覧にて閲覧したり、重ねたり束ねたり他人に手渡したりといった人間の日常的な環境における自然な行動の中でストレスなく電子データで構成されたドキュメント内容を閲覧利用することを可能ならしめることができる。
【０００４】
電子ペーパーは、例えば、無電源状態でドキュメント画像を表示保持する表示部を有した装置であり、その表示部への画像情報の書き込み形式で大別すると、電子データに基づいて自己で画像情報を表示部に書き込む機能を有する自己書き込み型電子ペーパーと、電子データに基づいて投影された画像情報を表示部に保持する光書き込み型電子ペーパーとがある。
このような電子ペーパーは、用紙と異なって表示部に表示保持した画像情報を消去したり上書きすることが可能であり、表示保持する画像情報を書き換えて更新し、繰り返し使用することができるので紙資源の節約等の観点からも利用促進が望まれている。
【０００５】
なお、ドキュメント（文書）の作成や閲覧利用の過程において生ずる様々なできごとを情報管理し、当該管理情報に基づいて、ドキュメントを通じてなされるユーザ間のコミュニケーションを支援する文書処理装置が提案されている（特許文献１参照。）。
【特許文献１】特開平７―１２１５２９号公報
【発明の開示】
【発明が解決しようとする課題】
【０００６】
従来では、ドキュメント画像を用紙に印刷表示する場合、当該ドキュメントのページをそのまま画像表示している。これは至極当たり前のことであるが、ドキュメントを閲覧利用する環境によっては、ドキュメント画像をそのまま表示することで問題が生じてしまう。
例えば、会社内における文書閲覧環境を考えると、各社員（各ユーザ）毎にドキュメント文書を閲覧できる権限が付与されているのが一般的であるが、このような環境では、ユーザ権限に基づいて個々のドキュメント文書を管理する体制やシステムを構築しなければならない。
【０００７】
また、同じドキュメントページに含めれるドキュメント部分について、上記のような閲覧権限が付与される場合もあるが、このような場合には、ドキュメントページをそのまま印刷した文書と、当該ドキュメントページ中の或る部分は削除して印刷した文書とを用意するといったように、同じドキュメントデータに基づいて固定的に印刷表示された内容の異なるドキュメントが散在してしまう状況となっていた。
【０００８】
本発明は、上記従来の事情に鑑みなされたもので、ドキュメント画像を書き換え可能に表示保持する表示記録媒体を用い、当該ドキュメント画像の表示態様をユーザ毎に変更することにより、上記課題を合理的に解決し且つ電子ペーパーに代表される表示記録媒体の利用促進を図ることを目的としている。
【課題を解決するための手段】
【０００９】
本発明では、表示記録媒体として、代表的には、例えば、ドキュメント画像を無電源状態で表示保持する表示部と、当該表示保持されたドキュメントの電子データを保持するメモリ等の記憶部と、メモリに保持したデータを外部と送受信する通信部とを有する電子ペーパーを用いることができる。
しかしながら、本発明に係る表示記録媒体は、後述するように設定された機能に応じて種々な機能手段を備えたものであるので、これら必要に応じた機能手段が備えられる基本となる電子ペーパーとしてはドキュメント画像を無電源状態で表示保持し、当該ドキュメント画像を書き換え可能であればよい。
【００１０】
また、本発明の重要な要旨は、表示記録媒体を閲覧するユーザを特定し、当該ユーザに該当する表示態様でドキュメント画像を表示記録媒体に表示することであり、ユーザ毎の表記態様に係る管理を表示記録媒体自体で行う形式と、ユーザ毎の表記態様に係る管理をサーバで行って表示記録媒体による表示態様を制御する形式とが実施可能である。
また、本発明におけるドキュメント画像の表示態様の変更は、表示部に保持するドキュメント画像自体をユーザに応じて変更する形式の他、表示部に保持するドキュメント画像の全体や部分をユーザが視認することができないようにすることで結果として表示態様を変更する形式もあり、このような形式では後述するように光書き込み型の電子ペーパーを用いることも可能である。
【００１１】
具体的には、本発明はドキュメント画像を書き換え可能に表示保持する表示部を有する表示記録媒体であり、ユーザを特定するための特定情報を受け付ける入力手段と、受け付けた特定情報に基づいてユーザ毎に予め設定された態様で表示部に表示保持されるドキュメント画像を表示する表示制御手段とを備えている。
すなわち、ユーザ毎の表記態様に係る管理を表示記録媒体自身で行うか別途サーバで行うかを問わず、例えば、入力手段を構成する指紋センサにユーザが触れて特定情報（指紋）が入力される、入力手段を構成するキーボタンをユーザが操作してユーザＩＤを入力が入力される等により、入力手段で受け付けた特定情報に該当する表示態様でドキュメント画像を表示部に表示させる。
【００１２】
また、具体的には、本発明はドキュメント画像を書き換え可能に表示保持する表示部を有する表示記録媒体であって、ユーザを特定するための特定情報を受け付ける入力手段と、  表示部の表面側に重ねて設けられて透過状態と不透過状態とに切換え駆動されるマスク手段と、受け付けた特定情報に基づいてユーザ毎に予め設定された態様でマスク手段を駆動して表示部に表示保持されるドキュメント画像を表示するマスク駆動手段とを備えている。
すなわち、ユーザ毎の表記態様に係る管理を表示記録媒体自身で行うか別途サーバで行うかを問わず、受け付けた特定情報に対応する態様でマスク手段を全体的或いは部分的に透過状態と不透過状態とに駆動して、ユーザ毎に予め設定された表示態様でドキュメント画像を表示部に表示させる。
なお、例えば、マスク手段としては透過状態と不透過状態とに切換えられる液晶パネルを用いることができ、マスク駆動手段が液晶パネルの電極に電圧を印可して液晶パネルを全面的或いは部分的に透過状態と不透過状態とに切換えればよい。
【００１３】
また、具体的には、本発明は部分ドキュメント画像を書き換え可能に表示保持する複数のレイヤ層を透過的に重ねた構成で当該部分ドキュメント画像からなるドキュメント画像を表示保持する表示部を有する表示記録媒体であって、ドキュメント画像を構成する部分ドキュメントのデータを保持する記憶手段と、記憶手段に保持された部分ドキュメントデータに基づいてレイヤ層に部分ドキュメント画像を書き込む書き込み手段と、ユーザを特定するための特定情報を受け付ける入力手段と、受け付けた特定情報に基づいてユーザ毎に予め設定された態様で書き込み手段を駆動して部分ドキュメント画像が書き込まれるレイヤ層を選択する書き込み制御手段とを備えている。
すなわち、ユーザ毎の表記態様に係る管理を表示記録媒体自身で行うか別途サーバで行うかを問わず、受け付けた特定情報に対応する態様でレイヤ層への部分ドキュメント画像の書き込みするか否かを選択制御して、ユーザ毎に予め設定された表示態様（ドキュメント画像全体、部分ドキュメント画像のみ）でドキュメント画像を表示部に表示させる。
なお、例えば、後述するように強誘電液晶に代表されるメモリー性のある透過性液晶表示パネルを複数枚重ねて表示部を構成し、各透過性液晶表示パネルに書き込まれた部分ドキュメント画像を重ねて見ることにより、ドキュメント画像の全体が表示されるようにすればよい。
【００１４】
ここで、ユーザ毎の表記態様に係る管理をサーバで行う場合には、具体的には、本発明は、ドキュメント画像を書き換え可能に表示保持する表示部を有する表示記録媒体と、表示部に表示保持されるドキュメント画像をユーザに関連して管理するサーバとを備えた表示制御システムであって、サーバは、ユーザ毎に予め設定された表示態様を特定するための表示制御情報を保持するユーザ管理手段と、表示記録媒体から取得するユーザを特定するための情報に基づいて前記ユーザ管理手段が保持する対応する表示制御情報を当該表示記録媒体へ提供する制御情報提供手段とを有し、表示記録媒体は、ユーザを特定するための特定情報を受け付ける入力手段と、受け付けた特定情報を前記サーバへ提供する特定情報提供手段と、サーバから提供された前記表示制御情報を取得する制御情報取得手段と、表示部の表面側に重ねて設けられて透過状態と不透過状態とに切換え駆動されるマスク手段と、取得した表示制御情報に基づいてマスク手段を駆動して表示部に表示保持されるドキュメント画像を表示するマスク駆動手段とを備えている。
【００１５】
すなわち、表示記録媒体において、入力手段がユーザを特定するための特定情報を受け付けると、特定情報提供手段が特定情報をサーバへ送信して提供する。そして、サーバでは、ユーザ管理手段がユーザ毎に予め設定された表示態様を特定するための表示制御情報を保持しており、表示記録媒体から受信取得する特定情報に基づいて、制御情報提供手段がユーザ管理手段が保持する対応する表示制御情報を送信元の表示記録媒体へ送信して提供する。そして、表示記録媒体では、制御情報取得手段がサーバから提供された表示制御情報を取得し、マスク駆動手段が表示制御情報に基づいてマスク手段を駆動して表示部に表示保持されるドキュメント画像を表示する。これにより、上記と同様に、受け付けたユーザ特定情報に対応する態様でマスク手段を全体的或いは部分的に透過状態と不透過状態とに駆動して、ユーザ毎に予め設定された表示態様でドキュメント画像を表示部に表示させる。
【００１６】
また、ユーザ毎の表記態様に係る管理をサーバで行う場合には、具体的には、本発明は、部分ドキュメント画像を書き換え可能に表示保持する複数のレイヤ層を透過的に重ねた構成で当該部分ドキュメント画像からなるドキュメント画像を表示保持する表示部を有する表示記録媒体と、表示部に表示保持されるドキュメント画像をユーザに基づいて管理するサーバとを備えた表示制御システムであって、サーバは、ユーザ毎に予め設定された表示態様を特定するための表示制御情報を保持するユーザ管理手段と、表示記録媒体から取得するユーザを特定するための情報に基づいてユーザ管理手段が保持する対応する表示制御情報を当該表示記録媒体へ提供する制御情報提供手段とを有し、表示記録媒体は、ユーザを特定するための特定情報を受け付ける入力手段と、受け付けた特定情報をサーバへ提供する特定情報提供手段と、サーバから提供された表示制御情報を取得する制御情報取得手段と、ドキュメント画像を構成する部分ドキュメントのデータを保持する記憶手段と、記憶手段に保持された部分ドキュメントデータに基づいてレイヤ層に部分ドキュメント画像を書き込む書き込み手段と、取得した表示制御情報に基づいて書き込み手段を駆動して部分ドキュメント画像が書き込まれるレイヤ層を選択する書き込み制御手段とを備えている。
【００１７】
すなわち、表示記録媒体では、入力手段がユーザを特定するための特定情報を受け付け、特定情報提供手段が受け付けた特定情報をサーバへ提供する。そして、サーバでは、ユーザ管理手段がユーザ毎に予め設定された表示態様を特定するための表示制御情報を保持しており、表示記録媒体から取得するユーザ特定情報に基づいて、制御情報提供手段がユーザ管理手段が保持する対応する表示制御情報を当該表示記録媒体へ提供する。そして、表示記録媒体では、制御情報取得手段がサーバから提供された表示制御情報を取得し、書き込み制御手段が表示制御情報に基づいて書き込み手段を駆動して部分ドキュメント画像が書き込まれるレイヤ層を選択して、記憶手段に保持された部分ドキュメントデータに基づいて、書き込み手段によりレイヤ層に部分ドキュメント画像を書き込ませる。これにより、上記と同様に、受け付けた特定情報に対応する態様でレイヤ層への部分ドキュメント画像の書き込みするか否かを選択制御して、ユーザ毎に予め設定された表示態様でドキュメント画像を表示部に表示させる。
【００１８】
ここで、本発明ではサーバが提供するドキュメントデータをユーザ毎に管理するようにしてもよく、このようなユーザ毎のドキュメントデータを管理する場合には、具体的には、本発明は、ドキュメント画像を書き換え可能に表示保持する表示部を有する表示記録媒体と、表示部にドキュメント画像を表示保持させるためのドキュメントデータを表示記録媒体に提供するサーバとを備えた表示制御システムであって、サーバは、ユーザ毎に予め設定されたドキュメントデータを保持するデータ管理手段と、表示記録媒体から取得するユーザを特定するための情報に基づいてデータ管理手段が保持する対応するドキュメントデータを当該表示記録媒体へ提供するドキュメントデータ提供手段とを有し、表示記録媒体は、ユーザを特定するための特定情報を受け付ける入力手段と、受け付けた特定情報をサーバへ提供する特定情報提供手段と、サーバから提供されたドキュメントデータを取得するドキュメントデータ取得手段と、取得したドキュメントデータに基づくドキュメント画像の表示部での表示態様を特定情報に基づいてユーザ毎に予め設定された態様とする表示制御手段とを有する。
【００１９】
すなわち、表示記録媒体では、入力手段がユーザを特定するための特定情報を受け付け、特定情報提供手段が受け付けた特定情報をサーバへ提供する。そして、サーバでは、データ管理手段がユーザ毎に予め設定されたドキュメントデータを保持しており、ドキュメントデータ提供手段が表示記録媒体から取得するユーザ特定情報に基づいてデータ管理手段が保持する対応するドキュメントデータを当該表示記録媒体へ提供する。そして、表示記録媒体では、ドキュメントデータ取得手段がサーバから提供されたドキュメントデータを取得し、表示制御手段が取得したドキュメントデータに基づくドキュメント画像の表示部での表示態様を受け付けた特定情報に基づいてユーザ毎に予め設定された態様とする。これにより、マスク手段の駆動制御やレイヤ層の選択制御等によるドキュメント画像の表示態様の制御に加えて、表示するドキュメント画像自体をユーザ毎に制御する。
【発明の効果】
【００２０】
本発明によると、ドキュメント画像を書き換え可能に表示保持する表示記録媒体を用いて当該ドキュメント画像の表示態様をユーザ毎に変更するようにしたため、紙媒体によるドキュメントの閲覧と同等な環境を実現して、ユーザ権限に基づく個々のドキュメント印刷文書の管理体制やシステムを構築の必要性をなくし、しかも、同じドキュメントデータに基づくドキュメント印刷文書が散在してしまう状況を回避することができる。
【発明を実施するための最良の形態】
【００２１】
本発明を一実施例に基づいて具体的に説明する。
まず、本発明に利用される表示記録媒体の一例について、基本的な構成を図８〜図１３を参照して説明する。
図８〜図１３に示す表示記録媒体は電子ペーパーと称せられる媒体であり、ドキュメント画像の記録方式に違いにより大別して、図８〜図１０に示す自己書き込み型と、図１１〜図１３に示す光書き込み型とがあり、いずれの形式にあってもいわゆる電子ペーパーと称せられるように紙の様に薄型でドキュメント画像を無電源状態で表示保持し且つ当該ドキュメント画像を書き換え可能な装置である。
【００２２】
図８（ａ）には自己書き込み型電子ペーパーＥＰを正面視して示し、同図（ｂ）には当該自己書き込み型電子ペーパーＥＰを側面視で示してある。図示の電子ペーパーＥＰはドキュメント画像を表示保持する表示部２と電子データの処理を司る処理部３とを有しており、同図（ａ）には処理部３に内蔵されている基本的な機能部も表してある。
自己書き込み型電子ペーパーＥＰは、例えばＡ４版の用紙のような大きさのフレキシブルな薄型表示装置であり、大部分の面積を占める表示部２の一片に処理部３が設けられている。なお、表示部１の大きさは用途に応じた大きさのものとされる。
【００２３】
処理部３には、表示部２を駆動するドライバ４、外部と通信するための無線部等の通信部５、電子データを読み書き自在に保持するメモリ６、ドライバ４や通信部５やメモリ６の駆動電力を供給するバッテリ７、ユーザからドキュメント画像の表示切換え指示等の操作入力を受け付けるキーボタン等の操作部８、これら機能手段の統括制御やプログラム設定に応じた種々な処理を行うプロセッサ（ＣＰＵ）９が設けられている。
【００２４】
ここで、本発明ではユーザから当該ユーザを特定するための情報を受け付けるため、本発明に用いる電子ペーパーＥＰでは、操作部８からユーザ特定情報としてのユーザＩＤを受け付ける、或いは、公知の指紋センサ１０を設けてユーザ特定情報としての指紋データを受け付けるようにする。
また、本発明に用いる電子ペーパーＥＰでは、ＣＰＵ９により、後述するマスクやレイヤの制御も含めた表示部２によるドキュメント画像の表示制御を行う機能、後述するサーバとの間で種々な情報を授受する機能、ユーザ毎の表示態様を制御するためにユーザ管理を行う機能等が本発明の実施形態に応じて構成される。
また、本発明に用いる電子ペーパーＥＰでは、表示部２によるドキュメント画像を表示態様を制御するため、後述するように、表示部２の表面側にマスクが設けられ、或いは、表示部２自体が複数の透過性の表示用レイヤを重ねた多層構造とされる。
【００２５】
自己書き込み型電子ペーパーＥＰは、外部の無線通信機能等を有する装置（後述するサーバ側の通信装置）と通信部５で通信することにより、ドキュメントデータ等の種々な情報を送受信し、また、これら情報データをメモリ６に保持することができる。
自己書き込み型電子ペーパーＥＰは、メモリ６に保持したドキュメントデータに基づいてドライバ４が表示部２にドキュメント画像をすることができ、ドライバ４の駆動電力を除去しても表示部２にドキュメント画像を表示状態で保持し続け、更に、操作部８からの切換え指示等に応じて表示保持するドキュメント画像をドキュメントデータに基づいて変更する機能を有している。
【００２６】
自己書き込み型電子ペーパーＥＰは、表示部２の断面構造を表す図１０に示すように、複写機にトナーとして利用されている微細な着色粒子（図示の例では、白色粒子２１と黒色粒子２２）を少なくとも表面側が透明な表裏一対の電極２３間に封入し、これを少なくとも表面側が透明な表裏一対のフィルム基板２４で挟んだ構造となっている。着色粒子２１、２２が自由に移動できるように電極層２３間は空気層となっており、また、マトリックス状の電極層２３には着色粒子２１、２２との接触を防止する絶縁層２５が設けられている。なお、カラーフィルターを用いることにより、簡単な構造でカラー表示を実現することも可能である。
【００２７】
そして、自己書き込み型電子ペーパーＥＰは、表示部２の動作原理を表す図９に示すように、電極２３に電圧を印加していない状態（但し、電極２３は前回の駆動時の極性に帯電している）では、負（マイナス）に帯電した白色粒子２１は裏面側に溜まる一方、正（プラス）に帯電した黒色粒子２２は表面側に溜まり、表示部２を表面側から目視すると表示部２は黒色な状態となる。そして、メモリ６に記憶されたデータに基づいてドライバ４が動作して表示する画像情報に応じたマトリックスの所要部の電極極性を反転させると、白色粒子２１と黒色粒子２２との位置関係が入れ替わって、表示部２に白色粒子２１と黒色粒子２２とのコントラストによるドキュメント画像が表示される。なお、異なるデータに基づいてドライバ４を動作させることにより、白色粒子２１と黒色粒子２２とのコントラストにより表示部２に表示される画像情報を切り換えることができ、幾度も再使用することができる。
【００２８】
したがって、自己書き込み型電子ペーパーＥＰは、紙のように薄く柔軟である性質に加えて、表示部２に表示した画像情報を無電源保持する性質があるので、あたかも紙の如く用いることができる表示記録媒体である。
ここで、上記の電子ペーパーＥＰはメモリ６に保持したドキュメントデータに基づいて表示部２にドキュメント画像を自己書換えする機能を有しているが、本発明では、外部から投影されたドキュメント画像を表示部に無電源状態でも表示保持し続ける形式の光書き込み型電子ペーパーを応用することも可能である。なお、光書き込み型電子ペーパーを用いる場合には、光書き込み型の表示部２の表面側に表示態様を変更するためのマスクを設け、上記のようにＣＰＵで構成される機能で駆動し、マスクを全面的又は部分的に透過又は不透過に切換え制御して表示部２が表示保持しているドキュメント画像をユーザが視認できる範囲を変更すればよい。
【００２９】
光書き込み型電子ペーパーにも種々な種類があるが、いずれにあっても後述するような光書き込み型の表示部を有しており、本発明に用いる光書き込み型電子ペーパーでは、本発明を実施するために上記の自己書き込み型と同等な機能手段を備えた処理部を有し、表示部へのドキュメント画像の自己書き換え処理以外の処理を実行する。
【００３０】
例えば、光書き込み型電子ペーパーＥＰは、図１１に示すように画像書き込み装置の液晶パネル２９にドキュメント画像を表示し、電極１１に外部の電源から電圧を印加しながら光書き込み型電子ペーパーＥＰを液晶パネル２９に重ねて光を照射することにより、液晶パネル２９に表示させた画像情報を表示部２に転写して表示保持させることができる。
すなわち、光書き込み型電子ペーパーＥＰは電極１１に電圧を印加することで投影されたドキュメント画像を表示部２に転写し、電極１１に印加した電圧を除去した後も当該ドキュメント画像を表示状態で保持し続ける機能を有している。
なお、本発明において、光書き込み型の表示部２の表面側に表示態様を変更するためのマスクを設けた場合には、マスクを全面的に透過状態としてドキュメント画像の投影を行えばよい。
【００３１】
光書き込み型電子ペーパーＥＰは、表示部２の断面構造を表す図１３に示すように、複写機に利用されている有機光導電性材料の層（有機光導電層）３０と液晶表示材料の層（マイクロカプセル化したコレステリック液晶層）３１とを組み合わせ、これら層を表裏一対の透明電極３２で挟み、この積層体を表裏一対の透明な基材フィルム３３で挟んだ構造となっている。なお、この構成では、コレステリック液晶層３１が光を反射する白表示と、光が液晶層３１を透過しコレステリック液晶層３１と有機光導電層３０との間に設けられた黒色層３４で吸収される黒表示のモノクロ画像表示が可能である。さらにコレステリック液晶には螺旋ピッチに応じたカラー光を干渉反射するという特性があるので、コレステリック液晶層３１を螺旋ピッチの異なる液晶を積層した構成にすることにより、簡単な構造でカラー表示を実現することも可能である。
【００３２】
そして、光書き込み型電子ペーパーＥＰは、表示部２の動作原理を表す図１２に示すように、例えば画像書込み用の調光素子パネル（発光パネル）２９転写する画像を表示して表示部２に投影し、電極１１に電圧を印加すると、光の強弱を瞬時に反射濃度に変換して当該投影画像を保持する。そして、電極１１に消去電圧を印加することにより表示部２に保持された画像情報を消去することができ、光書き込み型電子ペーパーＥＰは書き込みと消去を繰り返して幾度も再使用することができる。なお、光書き込み型電子ペーパーＥＰはこのような消去処理を行わずに、上記のように電極１１に電圧を印加して新たな画像を投影することにより、表示部２に保持されている画像情報を上書きすることもでき、このような上書き処理によっても幾度も再使用することができる。
【００３３】
したがって、光書き込み型電子ペーパーＥＰは、紙のように薄く柔軟である性質に加えて、画像の投影により転写された画像情報を無電源保持する性質があるので、あたかもプリンタや複写機に使用する紙の如く用いることができ、しかも、繰り返し再使用することができる表示記録媒体である。
【００３４】
なお、本発明は、自己書き込み型電子ペーパーや光書き込み型電子ペーパーといった形式以外の電子ペーパーも勿論適用することができ、例えば、外部の書き換え装置に装填して表示部に自己書き込み型のように電子的に画像情報を書き込む形式であってもよい。すなわち、上記の自己書き込み型電子ペーパーは外部の画像書き込み装置を要しない形式の電子ペーパーの一例であり、光書き込み型電子ペーパーは外部の画像書き込み装置を要する形式の電子ペーパーの一例であるとも言える。
また、電子ペーパーＥＰの表示部２としては、強誘電液晶に代表されるメモリー性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリー駆動の薄型の液晶やＥＬ素子を用いてもよい。
【００３５】
図１には、本発明の一例に係る表示記録媒体としての電子ペーパーＥＰの構成を示してある。なお、以下の説明では、自己書き込み型電子ペーパーＥＰを用いた例を示すが、光書き込み型電子ペーパーＥＰを用いることもできる。
図１に例示する電子ペーパーＥＰは、表示部２の表面側に透過状態と不透過状態とに切換え駆動されるマスク層４１を設けたものであり、上記した表示部２へのドキュメント画像の自己書き込み機能（なお、図１中には図示を省略してある。）に加えて、ユーザ毎の表示態様を管理処理するユーザ管理手段４２がＣＰＵ９やメモリ６等により構成され、表示部２が保持するドキュメント画像の表示態様を制御する表示制御手段４３がＣＰＵ９や駆動電圧源となるバッテリ７等により構成されている。
【００３６】
ユーザ管理手段４２は、図２に示すように予め設定されたユーザ情報を記録したテーブルと、操作部８或いはセンサ１０から入力されたユーザ特定情報に基づいて当該ユーザに該当する設定情報をテーブルから取得する認証手段４４とを有している。
図２に示すテーブルでは、ユーザＩＤ番号により識別してユーザ毎にマスク層４１を透過状態とするエリアが予め設定されており、認証手段４４が、操作部８から受け付けたユーザＩＤ番号に基づいて、或いは、センサ１０から受け付けた指紋データから変換したユーザＩＤ番号に基づいて、当該ユーザＩＤに該当するエリア座標を取得して表示制御手段４３に提供する。
なお、指紋データからユーザＩＤ番号を得る場合には、指紋データとユーザＩＤ番号とを予め対応付けて記録した対応付けテーブルを認証手段４４に設けておく。
【００３７】
表示制御手段４３は、マスク層４１を透過又は不透過状態に駆動するマスク駆動手段４５を有しており、入力されたエリア座標情報に従ってマスク駆動手段４５による駆動処理を制御することでマスク層４１を全面的に透過又は不透過状態としたり或いはマスク層４１を部分的に透過又は不透過状態としたりする。
マスク層４１は、例えば、マトリックス状の駆動電極を有した液晶パネルであり、マスク駆動手段４５が駆動電極に印加する駆動電圧を切換えることで、上記のように全面的或いは部分的に透過又は不透過状態とされる。
【００３８】
図３には、それぞれ図２におけるユーザＩＤ番号Ｕ―ＩＤ１、Ｕ―ＩＤ２、Ｕ―ＩＤ３に該当する３人のユーザＡ、Ｂ、Ｃが図１に示す電子ペーパーＥＰを用いてドキュメント画像の閲覧を行う場合の表示態様を示してある。
なお、マスク層４１に覆われた表示部２には、図３（ｃ）に示すように、２００４年３月８日のメモと２００４年３月１０日のメモと２００４年３月１２日のメモとが順に並べて記述されているドキュメント画像ページが表示保持されている。
【００３９】
操作部１８やセンサ１０からユーザＡを特定する情報が入力されると、ユーザ管理手段４２が当該ユーザに対応する透過エリア座標（始点、終点）を表示制御手段４３に入力し、表示制御手段４３がマスク層４１の当該透過エリア座標に該当する部分を透過状態に駆動する。これにより、図３（ａ）に示すように、マスク層４１の当該ユーザに対して設定されている部分（始点（０、０）、終点（２１０、１００））だけが透過状態に駆動され、当該透過エリア４１ａから表示部２に表示保持されているドキュメント画像の一部（２００４年３月８日のメモ）が表示される。
【００４０】
また、操作部１８やセンサ１０からユーザＢを特定する情報が入力されると、ユーザ管理手段４２が当該ユーザに対応する透過エリア座標（始点、終点）を表示制御手段４３に入力し、表示制御手段４３がマスク層４１の当該透過エリア座標に該当する部分を透過状態に駆動する。これにより、図３（ｂ）に示すように、マスク層４１の当該ユーザに対して設定されている部分（始点（０、１００）、終点（２１０、２００））だけが透過状態に駆動され、当該透過エリア４１ａから表示部２に表示保持されているドキュメント画像の一部（２００４年３月１０日のメモ）が表示される。
【００４１】
また、操作部１８やセンサ１０からユーザＣを特定する情報が入力されると、ユーザ管理手段４２が当該ユーザに対応する透過エリア座標（始点、終点）を表示制御手段４３に入力し、表示制御手段４３がマスク層４１の当該透過エリア座標に該当する部分を透過状態に駆動する。これにより、図３（ｃ）に示すように、マスク層４１の当該ユーザに対して設定されている部分（始点（０、１００）、終点（２１０、３００））が透過状態に駆動され、当該透過エリア４１ａから表示部２に表示保持されているドキュメント画像の一部（２００４年３月８日〜２００４年３月１０日の全てのメモ）が表示される。
【００４２】
したがって、電子ペーパーＥＰを利用するユーザ毎に表示部２に保持されるドキュメント画像の表示態様が変更されるため、ユーザに付与した権限等に応じてユーザが閲覧可能な情報を管理することができる。
なお、上記の例では、マスク層４１を部分的に透過状態又は不透過状態に駆動制御したが、マスク層４１を全面的に透過状態又は不透過状態に駆動制御するようにしてもよく、単純に、ユーザ毎にドキュメントを閲覧できるか否かの管理をするようにしてもよい。
【００４３】
図４には本発明の他の一例に係る電子ペーパーＥＰの構成を示してあり、この電子ペーパーＥＰは表示部２を重ねて設けられた３枚の表示用レイヤ層２ａ、２ｂ、２ｃで構成したものである。
各レイヤ層２ａ、２ｂ、２ｃはそれぞれ上記のようにドキュメントデータに基づいてドライバ４によりドキュメント画像の書き込みがなされる自己書き込み型表示部２と同様なパネルである。なお、少なくとも上に重ねられた２枚のレイヤ層２ｂ、２ｃは透過性であり、下層のレイヤ層に書き込まれた部分ドキュメント画像を表面側から透視できるようになっている。
【００４４】
また、本例のユーザ管理手段４２は、ユーザＩＤ番号により識別してユーザ毎に画像を書きこむレイヤ層が予め設定されたテーブルを有しており、認証手段４４が操作部８或いはセンサ１０から入力されたユーザ特定情報に基づいて当該ユーザに該当する設定レイヤ情報をテーブルから取得して表示制御手段４３に入力する。
なお、図５中に示すように、ドキュメント画像を書き込みためにメモリ６に保持されるドキュメントデータは、部分ドキュメントのデータｄ１、ｄ２、ｄ３をドキュメントＩＤ等で纏めて１ページ分のドキュメントを構成した構造であり、これら部分ドキュメントｄ１、ｄ２、ｄ３のページ中における書き込み位置等を規定するレイヤ制御データｄが付加されている。
【００４５】
本例の表示制御手段４３は、部分ドキュメントのデータｄ１、ｄ２、ｄ３に基づく部分的なドキュメント画像をレイヤ層２ａ、２ｂ、２ｃにそれぞれ書き込む書き込み手段４６と、設定レイヤ情報に従って書き込み手段４６によりいずれのレイヤ層２ａ、２ｂ、２ｃに書き込み処理を行うか制御する書き込み制御手段４７を有している。
すなわち、本例では、ユーザ毎に設定されたレイヤ情報に基づいて各レイヤ層毎の部分ドキュメント画像が書き込まれて表示され、これによって、各レイヤ層を透視して表示されるドキュメント画像の表示態様が変更される。
【００４６】
図５には、各レイヤ用データ（部分ドキュメントデータ）ｄ１、ｄ２、ｄ３を含むドキュメントデータに基づいて、各レイヤ層に書き込み表示する態様を示してある。
なお、ドキュメントデータは２００４年３月８日のメモと２００４年３月１０日のメモと２００４年３月１２日のメモとが順に並べて記述されているドキュメント画像ページＤを表示するものであり、レイヤ１用データｄ１は２００４年３月８日のメモ部分の部分ドキュメントデータ、レイヤ２用データｄ２は２００４年３月１０日のメモ部分の部分ドキュメントデータ、レイヤ３用データｄ３は２００４年３月１２日のメモ部分の部分ドキュメントデータである。
【００４７】
書き込み手段４６は、レイヤ１用データｄ１による画像をレイヤ層２ａに書き込み、レイヤ２用データｄ２による画像をレイヤ層２ｂに書き込み、レイヤ３用データｄ３による画像をレイヤ層２ｃに書き込み、これによって、２００４年３月８日のメモ部分はレイヤ層２ａに表示保持され、２００４年３月１０日のメモ部分はレイヤ層２ｂに表示保持され、２００４年３月１２日のメモ部分はレイヤ層２ｃに表示保持される。
【００４８】
したがって、操作部１８やセンサ１０からユーザを特定する情報が入力されると、ユーザ管理手段４２が当該ユーザに対応する書き込み対象のレイヤ情報を表示制御手段４３に入力し、表示制御手段４３が当該レイヤ情報に従ってレイヤ層への部分ドキュメント画像の書き込みを実行する。
【００４９】
すなわち、各ユーザに設定されたはレイヤ情報に基づいて、例えば、ユーザＡにはレイヤ層２ａのみへの書き込みがなされてドキュメントＤ中の２００４年３月８日のメモ部分だけが表示される、ユーザＢには全てのレイヤ層２ａ、２ｂ、２ｃへの書き込みがなされて２００４年３月８日〜２００４年３月１２日のメモ部分を透視して表示される１ページ分のドキュメントＤが表示されるようにすることができる。したがって、電子ペーパーＥＰを利用するユーザ毎に表示部２に表示されるドキュメント画像の表示態様が変更されるため、ユーザに付与した権限等に応じてユーザが閲覧可能な情報を管理することができる。
【００５０】
図６には、本発明の一例に係る表示制御システムの構成を示してある。
上記の例は電子ペーパーＥＰ自体がユーザ情報を管理して表示態様をユーザ毎に変更しているが、本例に係る表示制御システムではユーザ情報を電子ペーパーＥＰとの間で通信するサーバ６０で管理している。また、本例では、サーバ６０は電子ペーパーＥＰに提供する表示用のドキュメントデータについてのユーザ毎の設定に従って管理している。
なお、本例ではマスク層４１により表示態様を変更する自己書き込み型電子ペーパーＥＰを用いた場合を説明するが、上記の説明から明らかなように、複数のレイヤ層により表示部２を構成した自己書き込み型電子ペーパーＥＰを用いることもできる。
【００５１】
電子ペーパーＥＰの表示制御手段４３は、マスク駆動手段４５によるマスク層４１の透過・不透過駆動を制御する他、ユーザに対応してサーバ６０から取得されるドキュメントデータに基づくドライバ４の表示部２への書き込み処理を制御する。
また、電子ペーパーＥＰの通信部５とＣＰＵ９とにより、操作部８やセンサ１０から入力されたユーザ特定情報をサーバ６０へ送信するＩＤ提供手段５ａ、サーバ６０から送信されてきた表示態様の制御情報を受信する制御情報取得手段５ｂ、サーバ６０から送信されてきたドキュメントデータを受信するデータ取得手段５ｃが構成されている。
【００５２】
一方、サーバ６０は、電子ペーパーＥＰとの通信インタフェースをなす通信装置６１と、ユーザ毎の表示態様やドキュメントを管理するサーバ本体６２とを有している。なお、通信装置６１とサーバ本体６２とは一体的な装置として構成してもよく、また、データベース等の構成の一部をネットワーク上の他のサーバとして設けて、このような遠隔のサーバも構成として含んだ形式の構成としてもよい。
【００５３】
通信装置６１は、電子ペーパーＥＰから送信されてくるユーザ特定情報を受信するＩＤ取得手段６１ａと、サーバ本体６２から入力された表示態様の制御情報を電子ペーパーＥＰへ送信する制御情報提供手段６１ｂと、サーバ本体６２から入力されたドキュメントデータを電子ペーパーＥＰへ送信するデータ提供手段６１ｃとを有している。
サーバ本体６２は、図７に示すようにユーザ毎にマスク層４１を透過状態とするエリア情報と提供するドキュメントのＩＤをが予め設定された管理テーブル６３と、複数のドキュメントデータをそれぞれドキュメントＩＤに対応付けて記憶しているデータベース６４と、電子ペーパーＥＰから送信されてきたユーザ特定情報に基づいて当該ユーザに該当する設定情報（透過エリア及びドキュメントＩＤ）を管理テーブル６３から取得する認証手段６５とを有している。
【００５４】
本例のシステムによると、電子データＥＰにおいて、操作部８或いはセンサ１０からユーザ特定情報が入力されると、ＩＤ提供手段５ａが当該ユーザ特定情報を送信する。
サーバ６０では、ＩＤ取得手段６１ａによりユーザ特定情報を受信すると、認証手段６５がユーザ特定情報に含まれるユーザＩＤ番号（或いは、上記のように指紋データから変換したユーザＩＤ番号）に基づいて該当する透過エリア座標を取得し、当該透過エリア座標情報を制御情報提供手段６１ｂが前記電子ペーパーＥＰへ送信する。また、これとともに、認証手段６５がユーザＩＤ番号に基づいて該当するドキュメントＩＤのドキュメントデータをデータベース６４から取得し、当該ドキュメントデータを同じテーブルエントリの透過エリア座標情報に関連付けてデータ提供手段６１ｃが前記電子ペーパーＥＰへ送信する。
【００５５】
電子ペーパーＥＰでは、サーバ６０から送信されてきた透過エリア座標とドキュメントデータとを制御情報取得手段５ｂとデータ取得手段５ｃとで受信し、これら透過エリア座標とドキュメントデータとを関連付けを保持してデータメモリ６に保持する。
そして、ユーザが操作部８からドキュメントを指定した表示指示を入力すると、表示制御手段４３が、メモリ６から該当するドキュメントデータを読み出してドライバ４により表示部にドキュメント画像を表示保持させるとともに、当該ドキュメントデータに関連付けられている透過エリア座標に基づいてマスク駆動手段４５によりマスク層４１の設定エリアを透過状態とさせる。
【００５６】
したがって、管理テーブル６３にユーザ毎に予め設定されているドキュメント画像が表示部２に表示され、同じくユーザ毎に予め設定されているマスク層４１のエリアが透過状態とされる。
このようにドキュメント画像の表示態様をユーザ毎に変更することで、ユーザに付与した権限等に応じてユーザが閲覧可能な情報を管理することができる。
【００５７】
なお、上記の例のようにサーバ６０側でユーザ毎の設定を管理する方が、システム運用上の利点があるといえる。
例えば、電子ペーパーＥＰは書き換え可能で繰り返し使用されるといっても、システム運用において多数使用され、また、比較的安価であるので廃棄されたり代替使用されたりといったようにある種の消耗品であるも言える。このため、各電子ペーパーＥＰにユーザ管理の情報や機能を持たせる構成とするより、サーバ６０側にこれら機能を集中して持たせた構成とした方が、管理を集中して行えるのでシステム運用の信頼性が高められ、また、設定するユーザ管理の情報を変更することも容易に行うことができる。
【図面の簡単な説明】
【００５８】
【図１】本発明の一例に係る電子ペーパーの構成を示す図である。
【図２】本発明の一例に係る設定情報を説明する図である。
【図３】本発明の一例に係る表示態様を説明する図である。
【図４】本発明の一例に係る電子ペーパーの構成を示す図である。
【図５】本発明の一例に係る表示態様を説明する図である。
【図６】本発明の一例に係る表示制御システムの構成を示す図である。
【図７】本発明の一例に係る設定情報を説明する図である。
【図８】自己書き込み型電子ペーパーを示す図である。
【図９】自己書き込み型電子ペーパーの動作原理を説明する図である。
【図１０】自己書き込み型電子ペーパーの構造を説明する図である。
【図１１】光書き込み型電子ペーパーの使用方法を説明する図である。
【図１２】光書き込み型電子ペーパーの動作原理を説明する図である。
【図１３】光書き込み型電子ペーパーの構造を説明する図である。
【符号の説明】
【００５９】
ＥＰ、：表示記録媒体（電子ペーパー）、  ２：表示部、
２ａ、２ｂ、２ｃ：表示用レイヤ層、  ３：処理部、
４：ドライバ、  ５：通信部（無線部）、
５ａ：ＩＤ提供手段、  ５ｂ：制御情報取得手段、
５ｃ：データ取得手段、  ６：メモリ、
７：バッテリ、  ８：操作入力部、
９：プロセッサ（ＣＰＵ）、  １１：センサ、
４１：マスク層、  ４１ａ：透過エリア、
４２：ユーザ管理手段、  ４３：表示制御手段、
４４：認証手段、  ４５マスク駆動手段、
４６：書き込み手段、  ４７：書き込み制御手段、
６０：サーバ、  ６１：通信装置、
６１ａ：ＩＤ取得手段、  ６１ｂ：制御情報取得手段、
６１ｃ：データ提供手段、  ６２：サーバ本体、
６３：管理テーブル、  ６４：データベース、
６５：認証手段、
【図１】
2006030559.tif 000003
【図２】
2006030559.tif 000004
【図３】
2006030559.tif 000005
【図４】
2006030559.tif 000006
【図５】
2006030559.tif 000007
【図６】
2006030559.tif 000008
【図７】
2006030559.tif 000009
【図８】
2006030559.tif 000010
【図９】
2006030559.tif 000011
【図１０】
2006030559.tif 000012
【図１１】
2006030559.tif 000013
【図１２】
2006030559.tif 000014
【図１３】
2006030559.tif 000015